(57)【特許請求の範囲】
【請求項１】
モニターであって、
タリー信号を入力可能なタリー表示用入力部と、
前記タリー信号に基づいて得られたタリー出力信号を出力するタリー出力信号部を備える、モニター。
【請求項２】
請求項１に記載のモニターであって、
前記タリー表示用入力部に入力されるタリー信号は、接点入力タリー点灯方式、電圧入力タリー点灯方式、通信タリー点灯通信方式の少なくとも１つである、モニター。
【請求項３】
請求項１又は請求項２に記載のモニターであって、
前記タリー出力信号は、前記タリー信号の信号方式を変換して得られた信号である、モニター。
【請求項４】
請求項１〜請求項３の何れか１つに記載のモニターであって、
前記タリー出力信号部は、前記タリー出力信号を無線で出力する、モニター。
【請求項５】
請求項１〜請求項４の何れか１つに記載のモニターを備える、モニターシステム。
【請求項６】
請求項５に記載のモニターシステムであって、
録画機を備え、
前記録画機は、前記タリー出力信号に連動して録画を行う、モニターシステム。
【請求項７】
請求項５に記載のモニターシステムであって、
アプリがインストールされた携帯電話を備え、
前記アプリは、前記タリー出力信号に連動して前記携帯電話にタリー表示を行う、モニターシステム。
【発明の詳細な説明】
【技術分野】
【０００１】
本発明は、モニターに関し、好ましくは、撮影用モニターに関し、さらに好ましくは、撮影用ビューファインダーモニターに関する。また、本発明は、上記モニターを含むモニターシステムに関する。
【背景技術】
【０００２】
従来の撮影用ビューファインダーモニターは大きくわけて３種類にわかれる。
まず１つ目はビデオカメラに直接接続しカメラをレコーディングまたは、カメラに有線接続されたＣＣＵ（カメラコントロールユニット）のシステムでカメラ本体から専用ケーブルによりビューファインダーモニターに接続される形式で、カメラメーカー専用のものが多い。
【０００３】
２つ目はデジタル化が進み、小型高性能のデジタルカメラの出現によりカメラを選ばす、ＨＤＭＩ接続や、ＳＤＩ（デジタル映像信号）接続してその映像信号よりタリー信号を読み取り、シリアル通信のような通信によって表示するビューファインダーモニターがある。
【０００４】
３つめは主に大掛かりなスタジオ用途でスタジオ用ビデオカメラにコネクタ接続するタイプのビューファインダーモニター装置がある。
【発明の概要】
【発明が解決しようとする課題】
【０００５】
現在、市販されているタリー表示用入力部を備えたモニターにおいては、上記の形でカメラと接続できるものは、給電および点灯を行っている。
【０００６】
タリー表示用入力部を備えたモニターは、前記のようにカメラ本体に接続して使用している。
【０００７】
モニターには、外部のタリー表示用機器に信号の出力が可能なコネクタが付いていない。だから、現在は１台のカメラに対し、撮影用ビューファインダーに付属したタリーが１つのみ光るシステムになっている。
【０００８】
よって、１台のカメラに対し、モニターを使用し、複数の外部タリーユニットを使用することができない。
【０００９】
また、ケーブルでの接続が難しい撮影ロケもあり、無線でタリーを作動させる必要な場面も増えている。
【００１０】
本発明は、上記事情に鑑みてなされたものであり、モニターよりタリー信号出力を備え、他のタリー装置を点灯することができる。尚且つ有線または無線でタリー信号の入出力を行えるモニターに関する。
【課題を解決するための手段】
【００１１】
本発明によれば、モニターであって、タリー信号を入力可能なタリー表示用入力部と、前記タリー信号に基づいて得られたタリー出力信号を出力するタリー出力信号部を備える、モニターが提供される。
【００１２】
以下、本発明の種々の実施形態を例示する。以下に示す実施形態は互いに組み合わせ可能である。
好ましくは、前記記載のモニターであって、前記タリー表示用入力部に入力されるタリー信号は、接点入力タリー点灯方式、電圧入力タリー点灯方式、通信タリー点灯通信方式の少なくとも１つである、モニターである。
好ましくは、前記記載のモニターであって、前記タリー出力信号は、前記タリー信号の信号方式を変換して得られた信号である、モニターである。
好ましくは、前記記載のモニターであって、前記タリー出力信号部は、前記タリー出力信号を無線で出力する、モニターである。
好ましくは、前記記載のモニターを備える、モニターシステムである。
好ましくは、前記記載のモニターシステムであって、録画機を備え、前記録画機は、前記タリー出力信号に連動して録画を行う、モニターシステムである。
好ましくは、前記記載のモニターシステムであって、アプリがインストールされた携帯電話を備え、前記アプリは、前記タリー出力信号に連動して前記携帯電話にタリー表示を行う、モニターシステムである。
【図面の簡単な説明】
【００１３】
【図１】本発明の実装例である。図１は、本発明に係る本実施例のカメラシステムを示している。タリー表示用入力部を備えたモニター装着図である。
【図２】本発明に係る本実施例のカメラシステムを示している。
【図３】本発明に係る本実施例のカメラシステムを示している。
【図４】本発明に係る本実施例のカメラシステムを示している。
【発明を実施するための形態】
【００１４】
以下に本発明の実施の形態を添付の図面に基づいて説明する。
図１は、本発明に係る本実施例のカメラシステムを示している。タリー表示用入力部を備えたモニター接続図である。ビューファインダーＡＡは、カメラＤＤのビューファインダーコネクタＤ１よりＶＦケーブルＥＥでビューファインダーコネクタＡ４に接続され、カメラＤＤから映像信号、タリー信号および電源の供給をされているモニターである。Ａ５は、Ａ４へ接続されたタリー信号を出力するタリー信号出力コネクタである。Ａ３は、カメラからタリー信号が入力されることにより点灯表示するタリー表示灯である。タリー信号出力コネクタＡ５は、タリー信号入力コネクタＡ４に入力された信号の出力コネクタで、タリーコネクタ接続ケーブルＦＦによりタリーユニットＴＴに接続する。
【００１５】
本発明では、タリー信号入力コネクタＡ４に入力されたタリー信号により、タリー出力コネクタＡ５にタリーコネクタ接続ケーブルＦＦで接続されたタリーユニットＴＴが点灯する。
【００１６】
本発明では、タリー信号入力コネクタＡ４に入力されたタリー信号を、その信号と信号方式の異なるタリー信号出力、接点入力タリー点灯方式、電圧入力タリー点灯方式、通信入力タリー点灯方式へ、タリー表示用信号変換部Ａ８で変換を行い、異なった信号方式のタリー信号をタリー信号出力コネクタＡ２から出力することができる。
【００１７】
本発明では、タリー信号入力コネクタＡ４に入力されるタリー信号は、接点入力タリー点灯方式、電圧入力点灯方式、通信入力タリー点灯方式のいずれの信号方式のタリー信号も可能で、また、タリー信号入力コネクタＡ４に入力されたタリー信号を、その信号と信号方式の異なるタリー信号出力信号、接点入力タリー点灯方式、電圧入力点灯方式、通信入力タリー点灯方式へ、タリー表示用信号変換を行い、異なった信号方式のタリー信号を出力することができる。
【００１８】
図２は、本発明に係る本実施例のカメラシステムを示している。タリー表示用入力部を備えたモニター接続図である。ビューファインダーＡＡは、カメラＤＤのビューファインダーコネクタＤ１よりＶＦケーブルＥＥでビューファインダーコネクタＡ１に接続され、カメラＤＤから映像信号、タリー信号および電源の供給をされているモニターである。Ａ５は、Ａ４へ接続されたタリー信号を出力するタリー信号出力コネクタである。ＢＢは、ビューファインダーＡＡからタリー信号が入力されることにより点灯表示するタリー表示灯を備えるカメラビューファインダーモニターである。
【００１９】
本発明では、ビューファインダーＡＡにタリー信号入力コネクタＡ４およびタリー信号出力コネクタＡ５、ビューファインダーＢＢに、タリー信号入力コネクタＢ４およびタリー信号出力コネクタＢ５を備える。本発明では、タリー信号入力コネクタＡ４に入力されるタリー信号は、接点入力タリー点灯方式、電圧入力点灯方式、通信点灯方式のいずれの信号方式のタリー信号も可能で、また、タリー信号入力コネクタＡ４に入力されたタリー信号を、その信号と信号方式の異なるタリー信号出力信号、接点入力タリー点灯方式、電圧入力点灯方式、通信点灯方式へタリー表示用信号変換を行い、そのタリー信号をタリー信号出力コネクタＡ２から出力でき、そのタリー信号をビューファインダーＢＢのタリー信号入力コネクタＢ１へ接続して入力できる機能を備える。本発明ではＡ４に入力されたタリー信号をその信号方式と異なるタリー出力信号、接点入力タリー点灯方式、電圧入力タリー点灯方式、通信入力タリー点灯方式のタリー表示用信号変換を行い、異なったタリー信号の出力を行うことができる。ビューファインダーＡＡに入力されたタリー信号によりビューファインダーＢＢのタリー表示灯を点灯させる。
【００２０】
図３は、本発明に係る本実施例のカメラシステムを示している。タリー表示用入力部を備えたモニター接続図である。  
【００２１】
本発明では、ビューファインダーＡＡに、タリー信号の無線送信部Ａ６および無線受信部Ａ７を備える。ビューファインダーＢＢに、タリー信号の無線送信部Ｂ６および無線受信部Ｂ７を備える。本発明では、タリー信号入力コネクタＡ１に入力されるタリー信号は、接点入力タリー点灯方式、電圧入力点灯方式、通信入力点灯方式のいずれの信号方式のタリー信号も可能で、また、タリー信号入力コネクタＡ１に入力されたタリー信号を、その信号と信号方式の異なるタリー信号出力信号、接点入力タリー点灯方式、電圧入力点灯方式、通信入力点灯方式へ、タリー表示用信号変換部で変換を行い、そのタリー信号の出力を無線送信部Ａ６から送信し、無線受信部Ｂ７で受信し、そのタリー信号を入力できる機能を備える。これは、前記ビューファインダーＡＡとビューファインダーＢＢとを、タリー信号接続ケーブル接続を介する接続と同等の機能を有する。また、同様にビューファインダーＢＢからビューファインダーＡＡへの送受信も可能である。
【００２２】
図４は、本発明に係る本実施例のカメラシステムを示している。タリー表示用入力部を備えたモニター接続図である。  
【００２３】
本発明では、ビューファインダーＣＣに、タリー信号の無線送信部Ｃ６および無線受信部Ｃ７を備える。ビューファインダーＢＢに、タリー信号の無線送信部Ｂ６および無線受信部Ｂ７を備える。本発明では、タリー信号無線受信部Ｂ７で受信し、ＢＢに入力されるタリー信号は、接点入力タリー点灯方式、電圧入力点灯方式、通信点灯方式のいずれの信号方式のタリー信号も可能で、また、入力されたタリー信号を、その信号と信号方式の異なるタリー信号出力信号、接点入力タリー点灯方式、電圧入力点灯方式、通信点灯方式へ、タリー表示用信号変換を行い、そのタリー信号をタリー信号出力コネクタＢ５から出力できる機能を備える。タリー信号無線受信部Ｂ７で受信し、ＢＢに入力されるタリー信号が、出力コネクタＢ５から出力され、ビューファインダーＣＣの入力コネクタＣ４に入力され、タリー表示灯を点灯させる。
【００２４】
以上の説明で明らかなように、本発明によれば、１台のカメラに対して出力されるタリー信号を１個以上の外部タリーユニットまたはタリー表示用入力部を備えたモニターで共有することができる。また、接点入力タリー点灯方式、電圧入力タリー点灯方式、通信入力タリー点灯方式のタリー表示用信号の３種類の信号方式に対応することで、多くの種類のカメラで本発明を使用することができる。無線モジュールを用いる事で、前記のケーブルの使用が難しい場所でも、ケーブルを使用した場合と同等の効果を得ることができる。
【符号の説明】
【００２５】
ＡＡ  ビューファインダー
Ａ３  タリー点灯部
Ａ４  タリー信号入力部
Ａ５  タリー信号出力部
Ａ６  無線モジュール送信部
Ａ７  無線モジュール受信部
Ａ８  タリー信号変換機
ＢＢ  ビューファインダーＢ
Ｂ３  タリー点灯部
Ｂ４  タリー信号入力部
Ｂ５  タリー信号出力部
Ｂ６  無線送信部
Ｂ７  無線受信部
Ｂ８  タリー信号変換
ＣＣ  ビューファインダー
Ｃ３  タリー点灯部
Ｃ４  タリー信号入力部
Ｃ５  タリー信号出力部
Ｃ６  無線モジュール送信部
Ｃ７  無線モジュール受信部
Ｃ８  タリー信号変換機
ＥＥ  ケーブル
ＦＦ  ケーブル
ＧＧ  ケーブル
ＤＤ  カメラ本体
Ｄ１  タリー信号出力部
ＴＴ  タリーユニット
【要約】      （修正有）【課題】タリー信号出力を備え、他のタリー装置を点灯することができ、尚且つ有線または無線でタリー信号の入出力を行えるモニターを提供する。【解決手段】モニターに、３種類の信号方式、接点入力タリー点灯方式、電圧入力タリー点灯方式、通信入力タリー点灯方式のタリー表示用信号をそのまままたは変換し、タリー信号の出力を行うコネクタを装着する。モニターは、出力信号を無線モジュールを用いて送信出力もする。モニターは、入力信号を、無線モジュールを用いて受信入力もする。【選択図】図１【図１】
0006627056.tif 000002
【図２】
0006627056.tif 000003
【図３】
0006627056.tif 000004
【図４】
0006627056.tif 000005